(57)【要約】  ある距離だけ離れて設定され、実質的に長方形の形状であり、前部と後部に２つの底部コーナーと前部と後部に最上部コーナーとを有する２つの平行側面ボードと、実質的に長方形の形状であり、前述の側面ボード間で係合する後端部を有するとともに実質的に垂直に折り重ねられた位置とそれが前方に開いている実質的に水平の下方位置との間でこれらのボード上で回転する、回転フレームとを有する支持部を具備する、折りたたみ自在の家具構造、特に、折りたたみベッドであって、前述の側面ボード（２）に対して実質的に垂直でかつそこに固定されるとともに、床又は壁に接触するように意図された少なくとも１つクロスメンバー（４）を具備するとともに、それを床又は壁に固定する手段を具備しており、横方向ヒンジ・ピン（５）が前述の側面ボードに対して実質的に垂直に延長するとともに前述のフレーム（３）に組み立てられており、その末端はそれらの前部最上部コーナーに近接する領域に前述の側面ボード上で回転し、横断する耐ねじれ性の補強バー（６）が前述の側面ボードに対して実質的に垂直に位置するとともに前述のヒンジ・ピン（５）の下方にある領域に位置している。【選択図】図７
2007528245.tif 000002
【特許請求の範囲】
【請求項１】
ある距離だけ離れて設定され、実質的に長方形の形状であり、前部と後部に２つの底部コーナーと前部と後部に最上部コーナーとを有する、２つの平行側面ボードと、
実質的に長方形の形状であり、前記側面ボード間で係合する後端部を有するとともに実質的に垂直の折り重ね位置とそれが前方に開いている実質的に水平の下方位置との間でこれらのボード上で回転する回転フレームとを具備する、支持部を備えている、折りたたみ自在の家具構造、特に、折りたたみベッドであって、
その構造は、それが
前記側面ボード（２）に対して実質的に垂直でありかつそこに固定され、床又は壁に接触するように意図され、それを床又は壁に固定する手段を具備している、少なくとも１つのクロスメンバー（４）と、
前記側面ボードに対して実質的に垂直に延長しかつ前記フレーム（３）に組み立てられている、横断ヒンジ・ピン（５）において、その末端がそれらの前部最上部コーナーに近接する領域で前記側面ボード上で回転する、前記横断ヒンジ・ピン（５）と、
前記側面ボードに対して実質的に垂直でありかつそれに接続されるとともに、前記ヒンジ・ピン（５）の下方の領域に位置する、横断する耐ねじれ性の補強バー（６）とを具備することを特徴とする、折りたたみ自在の家具構造。
【請求項２】
前記側面ボードに対して実質的に垂直である少なくとも２つの相互に平行するクロスメンバーを具備し、一方のクロスメンバーは床と接触するように意図され、他方は壁と接触するように意図され、これらのクロスメンバーがそれらを床と壁とに固定する手段を具備することを特徴とする、請求項１に記載の構造。
【請求項３】
側面ボードに接続され、互いに実質的に平行であり前記側面ボードに対して実質的に垂直である、３つのクロスメンバーを具備し、前記クロスメンバーはそれらの２つの底部コーナーと後面最上部コーナーで側面ボードに固定されるとともにそれらを床と壁に固定する手段を具備することを特徴とする、請求項１又は２に記載の構造。
【請求項４】
前記横断ヒンジ・ピン（５ａ）が一方の側面ボードから他方に延長することを特徴とする、請求項１に記載の構造。
【請求項５】
前記横断ヒンジ・ピンが回転フレームに接続された横断スリーブ（５ｂ）を介して延長することを特徴とする、請求項４に記載の構造。
【請求項６】
前記横断補強バーが、前記回転フレームをその折り重ね位置に停止させる少なくとも１つのストップ（１５）を備えていることを特徴とする、請求項１から５のいずれか１つに記載の構造。
【請求項７】
前記回転フレームの折り重ね位置を設定する手段（１５；１３、１４）を具備することを特徴とする、請求項１から６のいずれか１つに記載の構造。
【請求項８】
前記回転フレーム（３）が前記横断ヒンジ・ピン（５）を通り越して後面に向けて延長することを特徴とする、請求項１から７のいずれか１つに記載の構造。
【請求項９】
前記回転フレームを回転させるパワー支援装置（１３、１４）を具備し、前記装置がこのフレーム（３）と前記横断補強バー（６）の間に設置されていることを特徴とする、請求項１から８のいずれか１つに記載の構造。
【請求項１０】
前記側面ボードの外面に固定されてそれをカバーする底部包囲横面ボード（１５）を具備するとともに、前記フレームがその下方位置にあるときに前記フレームは床と面する前壁（２１）と側壁（２０）とを具備する包囲ボックスを備えていて、前記ボックスの後面部は、前記側壁がこれらの底部包囲横面ボードに近接して延長するように、前記底部包囲横面ボード間で係合することを特徴とする、請求項１から９のいずれか１つに記載の構造。
【請求項１１】
前記フレームがその折り重ね位置にあるときに、側壁（２０）と前記前壁（２１）とが前記底部包囲横面ボードの前部エッジに近接していることを特徴とする、請求項１０に記載の構造。
【請求項１２】
前記底部包囲横面ボード（１５）の前部底エッジを接続する底部前部ベースボード（１８）を具備し、前記フレームがその折り重ね位置にあるときに前記前壁（２１）は前記前部ベースボードの上端に近接する後面エッジ（２１ａ）を有することを特徴とする、請求項１０又は１１に記載の構造。
【請求項１３】
前記底部包囲横面ボードから上向きに続くとともに前記底部包囲横面ボードの前部エッジに対して後方に設定された前部エッジを有する最上部包囲横面ボード（１６）を具備し、前記フレームがその折り重ね位置にあるときに、前記側壁は前記最上部包囲横面ボードの間に及び近接して部分的に係合する前記フレームに嵌め込まれていることを特徴とする、請求項１０から１２のいずれか１つに記載の構造。
【請求項１４】
前記包囲横面ボード間を延長する後面包囲壁（１７）を具備し、前記フレームがその下方位置にあるときに、その最上部エッジがこの後面包囲壁の底部エッジに近接する後面壁に、前記フレームが嵌め込まれることを特徴とする、請求項１０から１３のいずれか１つに記載の構造。
【請求項１５】
前記ボックスは前壁（２２）を具備し、それは前記側壁と前記前壁との前部エッジを互いに接続し、その最上部エッジは前記後面包囲壁と近接していることを特徴とする、請求項１４に記載の構造。
【発明の詳細な説明】
【技術分野】
【０００１】
本発明は、家具、特に、折りたたみベッドに関する。
【背景技術】
【０００２】
住居環境を改善するために、最近の家具は、よりわずかなスペースで機能的で単純で安全な基準に適合してきた。特に、ホテルの分野では、寝室は、むしろ狭くして、例えば、コンピュータが使える作業スペースと睡眠スペースとを同時に提供することが要求される。この方針が、貴重なスペースをその位置に基づいて節減可能にする折りたたみ家具の開発を促してきた。
【０００３】
ホテルの分野では、したがって、作業スペースに睡眠スペースを変更した後に、貴重なスペースを許容するために、非使用時に、折りたためる折りたたみベッドを使用することが周知のことになっている。従来の折りたたみベッドは、壁に固定するボックス・タイプの支持構造部を具備しかつ２つの側壁と上部水平壁とを具備している。このベッドは、適切な据付け用ちょうつがい取付け用構成を用いて、このボックスの底部を支点として回転される。この折りたたみベッドは、２つの位置、すなわち、ベッドがボックス内で垂直に配置される折り重ね位置と、ベッドが床上で水平に静止する開放位置との間で移動できる。この折りたたみベッドは、室内の装飾品と共に通常は設置されるので、その折り重ね位置で、ボックスは、例えば、タンスの外観を呈することになる。
【０００４】
しかし、このような折りたたみベッドは、見た目で非魅力的である。ベッドが開放位置にあるとき、ボックスの側面と最上部は、目に見えるので、ベッドがある部屋の装飾品に干渉する。ユーザは、閉塞感を抱くかも知れない。なぜならば、下方位置で、ユーザの頭は、ボックスの側壁と最上壁との間で囲われるからである。そのうえ、このようなベッドの組立構成は、複雑で設置が難しい。なぜならば、壁の仕切りが、全体的に軽量で、それほど厚くないからである。さらに、これらの配置構成は、壁に面する場所以外の場所の設置に完全に適していないからである。
【０００５】
これらの問題を解決するために、ドキュメントＦＲ−Ａ−２  ７１１  ０４８は、支持構造の使用を必要としない、折りたたみベッド用の組込構成を提供している。この構成は、折りたたみベッドのヘッドの片側に配置した２つの独立した構成要素から成り、補強壁をもつブラケットの形状の壁又は床あるいはその両方の固定手段を具備している。したがって、床だけ又は床と壁の両方に組立構成を固定できる。各々補強壁は、ベッドのヒンジ・ピンを収容するハウジングを含んでいる。
【発明の開示】
【発明が解決しようとする課題】
【０００６】
しかし、よりよく利用するために、これらの２つのブラケット要素は、枕元のテーブルのような隣接家具に固定しなければならない。なぜならば、そうしないと、２つの要素は、折りたたみベッドが回転すると、様々な応力に応じて又はベッドの重量のために弛む傾向があるからである。この構成の主な欠点は、したがって、ヒンジ・ピンが緩んで、ベッドが２つのブラケット要素の間に落ちることにある。
【０００７】
さらに、この組立システムは、変形作用に対する抵抗力が弱い。ベッドが回転すると、応力が生じて、ベッドの重量と長さとに起因するレバー・アームの影響のために、配置構成が変位する事象をまねく。
【課題を解決するための手段】
【０００８】
本発明の目的はこれらの問題点を解決することであり、その課題は、ある距離だけ離れ、実質的に長方形の形状であり、前部と後部に２つの底部コーナーと前部と後部に最上部コーナーとを有する２つの平行側面ボードと、実質的に長方形の形状であり、前述の側面ボード間で係合する後端部を有するとともに、実質的に垂直の折り重ね位置とそれが前方に開いている実質的に水平の下方位置との間でこれらの側面上で回転する回転フレームとを具備する、支持部を備えている、折りたたみ自在の家具構造、特に、折りたたみベッドである。
【０００９】
本発明によれば、この構造は、前述の側面ボードに対して実質的に垂直でありかつそこに固定され、床又は壁に接触するように意図され、それを床又は壁に固定する手段を具備している、少なくとも１つのクロスメンバーと、前述の側面ボードに対して実質的に垂直でありかつ前述のフレームに組み立てられている、横断ヒンジ・ピンにおいて、その末端がそれらの前部最上部コーナーに近接する領域で前述の側面ボード上で回転する、前述の横断ヒンジ・ピンと、前述の側面ボードに対して実質的に垂直であり、前述の側面ボードに接続され、前述のヒンジ・ピンの下方にある領域に位置する、横断する耐ねじれ性の補強バーとを具備している。
【００１０】
本発明によれば、前述の構造は、前述の側面ボードに対して実質的に垂直である少なくとも２つの相互に平行するクロスメンバーを具備し、一方のクロスメンバーは床と接触するように意図され、他方は壁と接触するように意図され、これらのクロスメンバーがそれらを床と壁とに固定する手段を具備している。
【００１１】
本発明によれば、前述の構造は、側面ボードに接続され、互いに実質的に平行であり前述の側面ボードに対して実質的に垂直である、３つのクロスメンバーを具備し、前述のクロスメンバーはそれらの２つの底部コーナーと後面最上部コーナーで側面ボードに固定されるとともにそれらを床と壁に固定する手段を具備している。
【００１２】
本発明によれば、前述の構造は、前述の横断ヒンジ・ピンが一方の側面ボードから他方に延長している。
【００１３】
本発明によれば、前述の構造は、前述の横断ヒンジ・ピンが回転フレームに接続された横断スリーブを介して延長している。
【００１４】
本発明によれば、前述の構造は、前述の横断補強バーが、前述の回転フレームをその折り重ね位置に停止させる少なくとも１つのストップを備えている。
【００１５】
本発明によれば、前述の構造は、前述のストップが前述の回転フレームの折り重ね位置を設定する手段を好都合に具備している。
【００１６】
本発明によれば、前述の構造は、前述の回転フレームが前述の横断ヒンジ・ピンを通り越して後面に向けて延長している。
【００１７】
本発明によれば、前述の構造は、前述の回転フレームを回転させるパワー支援装置を具備し、前述の装置がこのフレームと前述の横断補強バーの間に設置されている。
【００１８】
本発明によれば、前述の構造は、前述の側面ボードの外面に固定されてそれをカバーする底部包囲横面ボードを具備するとともに、前述のフレームがその下方位置にあるときに前述のフレームは床と面する前壁と側壁とを具備する包囲ボックスを効果的に備えていて、前述のボックスの後面部は、前述の側壁がこれらの底部包囲横面ボードに近接して延長するように、前述の底部包囲横面ボード間で係合している。
【００１９】
本発明によれば、前述のフレームがその折り重ね位置にあるときに、側壁と前述の前壁とが前述の底部包囲横面ボードの前部エッジに効果的に近接している。
【００２０】
本発明によれば、前述の構造は、前述の底部包囲横面ボードの前部底エッジを接続する底部前部ベースボードを効果的に具備し、前述のフレームがその折り重ね位置にあるときに前述の前壁は前述の前部ベースボードの上端に近接する後面エッジを有している。
【００２１】
本発明によれば、前述の構造は、前述の底部包囲横面ボードから上向きに続くとともに前記の底部包囲横面ボードの前部エッジに対して後方に設定された前部エッジを有する最上部包囲横面ボードを効果的に具備し、前述のフレームがその折り重ね位置にあるときに、前述の側壁は前述の最上部包囲横面ボードの間に及び近接して部分的に係合する前述のフレームに嵌め込まれている。
【００２２】
本発明によれば、前述の構造は、前述の包囲横面ボード間を延長する後面包囲壁を効果的に具備し、前述のフレームがその下方位置にあるときに、その最上部エッジがこの後面包囲壁の底部エッジに近接する後面壁に、前述のフレームが嵌め込まれている。
【００２３】
本発明によれば、前述の構造は前壁を効果的に具備し、それは前述の側壁と前述の前壁との前部エッジを互いに接続し、その最上部エッジは、前述のフレームがその下方位置にあるときに、前述の後面包囲壁に近接している。
【発明を実施するための最良の形態】
【００２４】
組立とヒンジの配置構成を含んで、図面に示す折り重ねベッド構造１００は、実質的に長方形の形状の２つの平行側面ボード２を具備する、支持部１を具備している。ボード２は、図２と図４に示す実質的に垂直の折り重ね位置と、図３と図５に示す実質的に水平の開放又は下方位置との間で回転するように、支持部１上に組み立てられた折りたたみベッドの回転フレーム３の幅と実質的に等しい距離だけ離れている。
【００２５】
支持部１は、互いに実質的に平行するとともにボード２に対して実質的に垂直方向にあり、壁と床に支持部１を固定する手段を有する、クロスメンバー４を備えている。
【００２６】
２つのクロスメンバー４ａ、４ｂは、床と接するように設計された、それらの２つの底部コーナー、後部と前部でボード２に固定され、１つのクロスメンバー４ｃは壁と接するように設計されたボード２の後面最上部コーナーに固定されている。クロスメンバー４ｃは、好都合にＬ字形の断面なので、変形に対する抵抗力が強化される。
【００２７】
クロスメンバー４ａと４ｂは、それらの床との接触を最適にするために、好都合に平らな断面を成している。クロスメンバー４は、床又は壁あるいはその両方に対して支持部１を、例えば、ネジを用いて定着できるように、それらの長さ方向に沿う全ての状態で、最適に均一に分布する固定穴（図示せず）を備えているので、穴又はパイプのように想定される障害物を回避できる。
【００２８】
構造部１００の組立とヒンジの配置構成は、ボード２の最上部の前部コーナーに隣接する領域でボード２と回転フレーム３の両方に組み立てられかつボード２に対して実質的に垂直に位置する、ヒンジ・ピン５（図１に図示せず）も含んでいる。
【００２９】
図１０に示すように、ヒンジ・ピン５は、断面が円形の好都合なバー５ａであり、直径が例えば約２０ｍｍ〜２５ｍｍであり、一方のボードから他方に延長し、その末端がボード２に回転しながら組み立てられ、オプションで中間リングが嵌め込まれている。このバー５ａは、回転フレーム３に堅固に固定された円形断面のスリーブ５ｂを貫き、回転フレーム３の幅部の全体を延長している。
【００３０】
支持部１は、ボード２に接続し、クロスメンバー４と横断ヒンジ・ピン５の両方に対して実質的に平行するとともにヒンジ・ピン５の下方の領域に位置する、横断する耐ねじり性の補強バー６も具備している。補強バー６の機能は、他のなかでも、特にフレーム３の回転時に支持部１を補強するとともに、折り重ね位置（図２）におけるフレーム３の追加部品のストップとして作用することにある。
【００３１】
回転フレーム３は、他のものと共に、回転フレーム３用のオプションの包囲手段を支える底部バー７を具備している。バー７は、２つの末端でかつフレーム３の中間に実質的に位置している。
【００３２】
図４と図５に示すように、各々のボード２は、その第１の最上部コーナーの下方に凹み８を好都合に具備している。凹み８の形状寸法は、その高さと厚みにかかわらず、ベースボードの寸法形状に適応される。この特殊な特長が、壁に対する支持部１の良好な固定を可能するとともに、フレーム３の回転時に、特に床が完全に平らでない場合でも、配置構成の安定性を改善する。
【００３３】
実施例の例で、ヒンジ・ピン５の対応する末端は、床と垂直になるとともに壁に接触するように意図できる、ボード２の後面から約５００ｍｍの距離Ｌ１と、床と接触するように意図されたボード２の底面から約２７０ｍｍの距離Ｌ２に好都合に位置している。このような位置は、一例として与えられるように、ヒンジ・ピン５に対して、折りたたみベッドのフレーム３の回転に起因する任意の変位を防止する。この理由は、折りたたみベッドのフレーム３が相対的に長く、この長さがフレーム３の回転時に長いレバーを生じるからである。この変位の恐れを低減するために、支持部１は床又は壁あるいはその両方に確実に固定しなければならない。また、ヒンジ・ピン５の位置も適正でなければならない。
【００３４】
補強バー６は、ヒンジ・ピン５の下方及びそのわずかに前方に位置している（図４と図５）。ヒンジ・ピン５に相応する補強バー６のこの位置は、変位に対する抵抗力を最適にするために選定される。ヒンジ・ピン５は、補強バー６に好都合に比較的近接しており、これらの２つの部品が床に相対的に近接している。支持部１と回転フレーム３とから成る配置構成の重心は、したがって、相対的に低く、これが変位に対する抵抗力を向上させる。
【００３５】
一例として、第１のセクション９は、平らな断面で約５０ｍｍの長さの鉄製の堅固なセクション１０によって床と平行に好都合に続いている。補強バー６の２つのセクション９と１０は、したがって、フレームが折り重ね位置の補強バー６に逆らって進むかぎり、その回転時に、支持バー７とフレーム３の形状に嵌め込むように形作られる。
【００３６】
補強バー６の主な機能は、支持部１を強化して、折り重ね位置でフレーム３のストップを提供することにある。それは、フレーム３が折りたたまれる可能性のある、ヒンジ・ピン５の突然の破損時に、フレーム３が落下することを防止する機能も有している。
【００３７】
ヒンジ・ピン５が支持部１とフレーム３の両方に接続しているという事実が、特にこの構造が自動パワー支援回転装置に嵌め込まれる場合、変形に対する優れた抵抗力を保証する。
【００３８】
この構造は、ヒンジ・ピン５周辺のフレーム３の回転から生じる力の全てを吸収するので、耐力構造を設置する必要はない。これは、コスト、スペース、必要条件、美観に関して、大きな長所を与えることになる。
【００３９】
前述の組立とヒンジの構成により、耐力構造又は付随する家具類を提供する必要はない。配置構成の支持部１は、壁又は床あるいはその両方に直接固定される。したがって、それを部屋のどこにでも設置可能であり、壁の存在を必要としない。
【００４０】
また、折りたたみベッドが下方又は横倒れ位置にあるときに、すなわち、それが揺れて下方にくるときに、それを従来の固定ベッドと区別するものもない。折りたたみベッドのスペース基準はベッド自体の寸法形状と同じなので、ベッドが設置される室内で使用できるスペースを、その最良の状態で使用できる。さらに、回転フレーム３と支持部１とを包囲する手段を提供できるので、折り重なる位置にあるときに、いろいろな備品が、ベッドが設置された室内の装飾品と調和する。
【００４１】
フレーム３は、側面バー１１ａと、前後部バー１１ｂと、バー１１ａと１１ｂとに接続するクロス１２を形成する内部バーとから成る、実質的に長方形のサブフレーム１１を具備している。
【００４２】
ヒンジ・ピン５は、その後端からある距離で回転フレーム３に接続しているので、回転フレーム３はヒンジ・ピン５を越えて後方に延長している。
【００４３】
構造部１００は、シリンダー又は電気モータのような回転フレーム３を回転させる自動パワー支援装置も含んでいて、この場合、補強バー６は、約２５０ｋｇ／ｃｍ2の負荷をとれるほど堅固なので、これらの自動手段の支持部としても使用できる。このような自動手段は、回転フレーム３と補強バー６の堅固なセクション１０との間で好都合に固定されている。
【００４４】
図６と図７で特に示すように、横方向の空圧パワー支援シリンダー１３が、補強バー６とサブフレーム１１の側面バー１１ａとの間に設置してあり、ユーザが制御自在の動作シリンダー１４が、補強バー６の中間と側面バー１１ａと平行するクロス１２の中心バー１２ａとの間に設置されている。
【００４５】
図１０に示すように、設定ネジ６ａが、フレーム３の上昇位置の移動端ストップとして作用するとともに、折り重ね位置のフレーム３の最終的な垂直位置を調整可能にするために、横断補強バー６に接続している。
【００４６】
変形事例では、フレーム３の最終的な垂直の折り重ね位置は、例えば、ネジ・ナット・システムを用いて、前述のシリンダーの長さを調整すると設定できる。
【００４７】
図８と図９に戻ると、構造部１００が、次に記す特殊な固定包囲手段も含むことができることが分かる。
【００４８】
実質的に長方形の形状でかつ上方と前方の両方に更に延長する、底面横面ボード１６が、側面ボード２の外面に固定されている。側面ボード２は、横面ボード１６の適切なハウジングに挿入できる。
【００４９】
底面横面ボード１５は、最上面横面ボード１６により上向き方向に続いており、その垂直前部エッジは、底部横面ボード１５の垂直の前部エッジに対して、後面に向けて後方に設定されている。
【００５０】
横断する垂直後面壁１７は、側面横面ボード１５と１６を接続し、この後面壁１７は、最上面横面ボード１６の垂直の前部エッジに対して後部に向けて後方にかつそれらの垂直の後面エッジのわずか前方に設定されている。
【００５１】
前部横断ベースボード１８は、底部横面ボード１５の前部エッジの底部の部品を接続する。
【００５２】
構造部１００は、次に記す移動自在の包囲手段も含むことができる。
【００５３】
フレーム３は、側壁２０を含んでいる囲いボックス１９と、フレームがその下方位置にあるときに床に面するとともにシリンダー１３と１４を収納する前壁２１とサブフレーム１１との間にスペースを生成するためにフレーム３のバー７に固定されている、前壁２１と、フレーム３の前部自由端に前部横断壁２２と、フレーム３の後面自由端に後面横断壁２３とを備えている。前壁２２は、フレーム３が下方にあるときに、床に静止するフット２２ａを呈するように下向きに続いている。
【００５４】
側壁２０の後面部は、支持部１の側面ボード２の間に係合するとともにそれらに近接し、フレームがその下方位置にあるときに補強バー６に近づく後面エッジを有している。
【００５５】
前壁２１の後面部は、支持部１の側面ボード２間にも係合するとともに、フレームがその下方位置にあるときに補強バー６の下方を通過する。
【００５６】
側壁２０と前部横断壁２２と横断後面壁２３は、サブフレーム１１の上方にあり、サブフレーム１１に設置したマットレスとベッド・ベースの側面の周囲を延長している。フレーム３がその下方位置にあるときに、側壁２０の最上部エッジは、底部横面ボード１５の最上部エッジのわずか下方に位置している。
【００５７】
フレーム３がその折り重ねられた垂直位置に設定されると、その包囲手段の側壁２０は、最上部横面ボード１６間で部分的に係合し、前壁２１は底部横面ボード２５の前部エッジに近接し、前壁２１の底部後面エッジは横断ベースボード１８の最上部エッジに近接し、後面横断壁２３の最上部エッジは固定後面横断壁１７の底部エッジに近接している。
【００５８】
図８から分かるように、フレーム３がその垂直位置にあるときに、前述の包囲手段は、それとその土台の両方を囲む洋服ダンスの外観を呈する。
【００５９】
図９から分かるように、フレーム３がその下方位置にあるときに、前述の包囲手段は土台の周囲を封鎖し、最上部横面ボード１６の狭い幅部はユーザに不便を感じさせない。
【００６０】
前述の構造部１００は、縦方向、したがって、睡眠方向がヒンジ・ピン５に対して垂直に又はそれと平行する方向のいずれかに完璧に走行できる、ベッドの製作に適用できる。
【００６１】
底部横面ボード１５と最上部横面ボード１６は、構造部１００の何れかの側に家具又は保管棚の備品用の壁を効果的に形成することもできる。
【００６２】
本発明は、前述の特定の図示した実施例に限定されない。数多くの変形例が、添付の特許請求の範囲を逸脱せずに可能である。
【図面の簡単な説明】
【００６３】
本発明のある特定の実施例は、図面に示す非限定の事例を用いて説明される。
【図１】支持部に折りたたみベッドの回転フレームを嵌め込む前の、本発明による構造のための支持部を具備する斜視図であり；
【図２】折り重ね又は垂直位置で、回転フレームを装着した図１に示す支持部を具備する、本発明による構造の斜視図であり、
【図３】開放又は下方位置で、回転フレームを装着した図１に示す支持部を具備する、本発明による構造の他の斜視図であり、
【図４】図２で示した構造を、側面から断面で示す。
【図５】図３で示した構造を、側面から断面で示す。
【図６】折りたたみ又は垂直位置で、動作手段を装着する、本発明による前述の構造の斜視図であり、
【図７】開放又は下方位置で、動作手段を装着する、本発明による前述の構造の他の斜視図であり、
【図８】折りたたみ又は垂直位置で、包囲手段を装着する、本発明による前述の構造の斜視図であり、
【図９】開放又は下方位置で、包囲手段を装着する、本発明による前述の構造の他の斜視図であり、
【図１０】前述の構造の底部を介する拡大断面図である。
【図１】
2007528245.tif 000003
【図２】
2007528245.tif 000004
【図３】
2007528245.tif 000005
【図４】
2007528245.tif 000006
【図５】
2007528245.tif 000007
【図６】
2007528245.tif 000008
【図７】
2007528245.tif 000009
【図８】
2007528245.tif 000010
【図９】
2007528245.tif 000011
【図１０】
2007528245.tif 000012
【国際調査報告】
2007528245.tif 000013
2007528245.tif 000014
2007528245.tif 000015
2007528245.tif 000016